(57)【要約】      （修正有）【課題】地上の各地域からの宇宙空間に存在する天体対象の視認状況を予測すると共に、天体対象を含む宇宙空間を利用した一連の冠婚葬祭行事をサポートする。【解決手段】冠婚葬祭行事管理サーバー１４は、登録されている故人の命日等の記念日を管理し、通知時期になると、故人の親族又は関係者（遺族等）を特定する。天体観測情報機関１８からの情報に基づき、親族又は関係者が点在している各地域の月の位置を予測する（第１の予測）。気象情報機関１６からの情報に基づき、親族又は関係者が点在している各地域の雲の状態を予測する（第２の予測）。各地域において、肉眼で月が見えるか否かを予測する（第３の予測）。親族又は関係者が管理するスマホ等の通信端末２０のアプリ（何れかのコンテンツ）を遠隔で立ち上げて、対話形式で故人の記念日に関する情報を通知（提供）する。【選択図】図３
2019114092.tif 000002
【特許請求の範囲】
【請求項１】
特定の地域及び時期に基づいて、宇宙に存在する天体及び星座を含む物体の中から選択された天体対象が見える方向を予測する第１の予測手段と、
前記特定の地域の天候を予測する第２の予測手段と、
前記第１の予測手段で予測した天体対象の方向と、前記第２の予測手段で予測した天候とにより、前記天体対象が目視で見えるか否かを予測する第３の予測手段と、
前記第３の予測手段で予測した前記天体対象の見え方に関する情報を、前記特定の地域で管理される通信端末へ送信する送信手段と、
を有する予測制御装置。
【請求項２】
第１の予測手段が、
天体観測による軌道情報に基づき、前記天体対象が存在する方向を予測することを特徴とする請求項１記載の予測制御装置。
【請求項３】
第２の予測手段が、
気象情報機関による気象情報、或いは、太陽光発電装置の日照予測システムからの日照情報に基づき、前記特定の地域の天候を予測することを特徴とする請求項１又は請求項２記載の予測制御装置。
【請求項４】
前記第３の予測手段が、
前記通信端末と前記天体対象とを結ぶ線上において、雲、霧、及び雨の少なくとも１つを含む自然現象要因の有無を判別し、前記天体対象が見えるか否かを予測することを特徴とする請求項１〜請求項３の何れか１項記載の予測制御装置。
【請求項５】
冠婚葬祭行事を管理する管理サーバーと、当該管理サーバーと通信可能であり、複数の地域に点在する通信端末と、を備えた冠婚葬祭行事サポートシステムであって、
前記管理サーバーが、
冠婚葬祭行事を実行する記念日を記憶する記憶手段と、
前記記憶手段に記憶された記念日から、前記通信端末に報知する記念日の日時を決定するする決定手段と、
前記決定手段で決定された日時に、特定の地域及び時期に基づいて、宇宙に存在する天体及び星座を含む物体の中から選択された天体対象が見える方向を予測する第１の予測手段と、
前記決定手段で決定された日時における、特定の地域の天候を予測する第２の予測手段と、
前記第１の予測手段で予測した天体対象の方向と、前記第２の予測手段で予測した天候とにより、前記天体対象が目視で見えるか否かを予測する第３の予測手段と、
前記決定手段で決定された日時に到達するまでに、複数の地域に点在して管理される複数の通信端末へ、前記第３の予測手段で予測した天体対象の見え方に関する情報を送信する送信手段と、
を有し、
前記通信端末が、
前記天体対象が見える地域、時間帯を含む天体対象鑑賞情報の提供を受ける情報提供受信機能、各地域の前記天体対象の見え方を、互いに共有し合うコミュニティ機能、及び、前記天体対象が見えない地域に対して天体対象の仮想現実画像の提供を受ける仮想現実画像受信機能の少なくとも１つの機能を実行可能な実行手段を有する、
ことを特徴とする冠婚葬祭行事サポートシステム。
【請求項６】
前記冠婚葬祭行事が、
複数の地域に点在しているそれぞれの遺族が、特定の天体対象をよりどころとして、当該天体対象を見ながら故人を供養する葬祭行事であることを特徴とする請求項５記載の冠婚葬祭行事サポートシステム。
【請求項７】
前記管理サーバーが、
前記通信端末の実行手段による、前記コミュニティ機能の実行において、特定の地域での実際の天体対象の見え方の情報が通知された場合に、前記第２の予測手段による前記特定の地域の天候の予測結果を補正する補正手段をさらに有することを特徴とする請求項５又は請求項６記載の冠婚葬祭行事サポートシステム。
【発明の詳細な説明】
【技術分野】
【０００１】
本発明は、天体対象の視認状況を予測するための予測制御装置、及び天体対象をよりどころとした親族及び関係者による冠婚葬祭行事サポートシステムに関するものである。
【背景技術】
【０００２】
冠婚葬祭行事の一つである葬祭行事において、日本では、火葬後は、墓に埋葬することが一般的である。
【０００３】
一方、近年、例えば、海洋散骨に代表されるように、骨をパウダー状として散骨する葬祭行事がある。
【０００４】
ここで、散骨する葬祭行事が利用される背景としては、以下の理由がある。
【０００５】
（理由１）  自身の死後に墓参りで子孫に迷惑をかけたくない。
【０００６】
（理由２）  親族及び関係者による、墓の管理、継承が困難となっている。
【０００７】
（理由３）  墓が遠方で、墓参りが困難な親族及び関係者が増加している。
【０００８】
（理由４）  親族及び関係者の居住地が、各地に分散しており、一堂に会する法事等の開催が難しい。
【０００９】
一方、散骨の種類として、海洋散骨以外に、宇宙に遺骨を散布することが提案されている（特許文献１参照）。
【００１０】
特許文献１には、宇宙葬を望む人の遺骨を収納して宇宙に移送し、その遺骨を宇宙空間において散布するための宇宙葬用散骨装置が記載されている。
【００１１】
より詳しくは、宇宙葬用散骨装置は、略直方体形状のケース体の対向する側面の対角線沿いに二分割された半ケース体をその開口部で重ね合わせたものとし、前記ケース体の外面にはソーラーパネルが設けられ、前記半ケース体の一方の角部には、半ケース体を閉鎖状態に係止させておく係止ピンが設けられ、他方の角部には、半ケース体を軸支させておく支軸が設けられると共に、半ケース体を反発させて開放状態にするトーションスプリングが設けられ、前記ソーラーパネルで発電された電力により作動する電磁石の磁力で前記係止ピンを引き付けて、前記半ケース体の係止を解除するようにしており、前記ケース体の内部には、遺骨を収納し、宇宙で自然に開放して、その遺骨を宇宙に散布可能とした多数個の遺骨入れが収納されていることを特徴としている。
【００１２】
宇宙葬の散骨から親族及び関係者の供養までを一連の葬祭行事として捉えた場合、当該葬祭行事の一形態として、天体対象（例えば、月）を基準とした宇宙空間へ散骨すると共に、散骨後に、親族（例えば、遺族）が月を見ながら、故人を供養することが挙げられる。
【００１３】
ここで、月を天体対象とした宇宙空間への散骨の葬祭行事が確立されることで、上記理由１及び理由２が解消し得る。
【００１４】
また、故人を供養する形態として、地球上から月を見て拝むことが挙げられる。月であれば、地域によらず見ることができ、理由３及び理由４を解消し得ることになる。
【００１５】
ところで、地球の大気の影響で雲が発生すると、地域によっては、月を肉眼で見ることができない場合がある。また、天体観測上、月の位置によっては、月を肉眼でみることができない時間帯がある。
【００１６】
気象変化の予測技術（特許文献２参照）により、月を見ることができる日時を予測することができる。
【００１７】
特許文献２には、天候を予測する技術として、発電データを情報処理装置に送信する通信手段を備えた太陽光発電装置と、太陽光発電装置に付設される雨量計とを備えてなり、情報処理装置は、通信手段を介して送信される雨量データと、当該雨量データを送信した太陽光発電装置の位置情報とを受信し、局地的な降雨の状況を出力する降雨状況出力手段を備えている気象情報管理システムが提案されている。
【００１８】
特許文献２では、情報処理装置が、受信した太陽光発電装置の発電データから、当該発電データに対応した日照データを求める日照データ算出手段を更に備え、日照データ算出手段により算出した少なくとも２地点における日照データを参照して、今後の局地的な気象変化を予測することが記載されている。
【００１９】
なお、参考として、特許文献３には、星や星座の位置を正確に検出できる天文観測方位検出装置を得るために、ＧＰＳ受信部を備え、観測したい星の軌道データ、観測位置情報、観測年月日および観測時刻情報をパラメータとして当該星の位置を計算し出力する構成が記載されている。
【先行技術文献】
【特許文献】
【００２０】
【特許文献１】特開２０１３−８１６７０号公報
【特許文献２】特開２０１０−２１０３５４号公報
【特許文献３】特開平７−１２９０８３号公報
【発明の概要】
【発明が解決しようとする課題】
【００２１】
しかしながら、法事等の予定日（例えば、同日同時間帯）に、親族及び関係者が分散して生活している地域において、月を見ることができる地域と、見ることができない地域が存在することがあり、親族及び関係者間で、月の視認性において不公平感をもたらす可能性がある。
【００２２】
本発明は、地上の各地域からの宇宙空間に存在する天体対象の視認状況を予測することができ、かつ、当該天体対象を含む宇宙空間を利用した一連の冠婚葬祭行事をサポートすることができる冠婚葬祭行事サポートシステムを得ることにある。
【課題を解決するための手段】
【００２３】
本発明の予測制御装置は、特定の地域及び時期に基づいて、宇宙に存在する天体及び星座を含む物体の中から選択された天体対象が見える方向を予測する第１の予測手段と、前記特定の地域の天候を予測する第２の予測手段と、前記第１の予測手段で予測した天体対象の方向と、前記第２の予測手段で予測した天候とにより、前記天体対象が目視で見えるか否かを予測する第３の予測手段と、前記第３の予測手段で予測した前記天体対象の見え方に関する情報を、前記特定の地域で管理される通信端末へ送信する送信手段と、を有している。
【００２４】
本発明において、第１の予測手段が、天体観測による軌道情報に基づき、前記天体対象が存在する方向を予測することを特徴としている。
【００２５】
本発明において、第２の予測手段が、気象情報機関による気象情報、或いは、太陽光発電装置の日照予測システムからの日照情報に基づき、前記特定の地域の天候を予測することを特徴としている。
【００２６】
本発明において、前記第３の予測手段が、前記通信端末と前記天体対象とを結ぶ線上において、雲、霧、及び雨の少なくとも１つを含む自然現象要因の有無を判別し、前記天体対象が見えるか否かを予測することを特徴としている。
【００２７】
本発明の冠婚葬祭行事サポートシステムは、冠婚葬祭行事を管理する管理サーバーと、当該管理サーバーと通信可能であり、複数の地域に点在する通信端末と、を備えた冠婚葬祭行事サポートシステムであって、前記管理サーバーが、冠婚葬祭行事を実行する記念日を記憶する記憶手段と、前記記憶手段に記憶された記念日から、前記通信端末に報知する記念日の日時を決定するする決定手段と、前記決定手段で決定された日時に、特定の地域及び時期に基づいて、宇宙に存在する天体及び星座を含む物体の中から選択された天体対象が見える方向を予測する第１の予測手段と、前記決定手段で決定された日時における、特定の地域の天候を予測する第２の予測手段と、前記第１の予測手段で予測した天体対象の方向と、前記第２の予測手段で予測した天候とにより、前記天体対象が目視で見えるか否かを予測する第３の予測手段と、前記決定手段で決定された日時に到達するまでに、複数の地域に点在して管理される複数の通信端末へ、前記第３の予測手段で予測した天体対象の見え方に関する情報を送信する送信手段と、を有し、前記通信端末が、前記天体対象が見える地域、時間帯を含む天体対象鑑賞情報の提供を受ける情報提供受信機能、各地域の前記天体対象の見え方を、互いに共有し合うコミュニティ機能、及び、前記天体対象が見えない地域に対して天体対象の仮想現実画像の提供を受ける仮想現実画像受信機能の少なくとも１つの機能を実行可能な実行手段を有する、ことを特徴としている。
【００２８】
本発明において、前記冠婚葬祭行事が、複数の地域に点在しているそれぞれの遺族が、特定の天体対象をよりどころとして、当該天体対象を見ながら故人を供養する葬祭行事であることを特徴としている。
【００２９】
本発明において、前記管理サーバーが、前記通信端末の実行手段による、前記コミュニティ機能の実行において、特定の地域での実際の天体対象の見え方の情報が通知された場合に、前記第２の予測手段による前記特定の地域の天候の予測結果を補正する補正手段をさらに有することを特徴としている。
【００３０】
本発明よれば、冠婚葬祭行事の一例としての周忌法要（葬祭行事）において、親族及び関係者がそれぞれ離れた地域にいる状態で、一斉に天体対象（例えば、月）を見ながら故人を供養する（偲ぶ）ことができる。
【００３１】
また、天候情報や天体観測に基づき、各地域の月の見え方をサポートする、あるいは仮想現実（バーチャルリアリティ）技術により、通信端末上に擬似的に天体対象を表示させることができる。
【００３２】
さらに、例えば、天体対象をよりどころとした宇宙空間への散骨から、当該散骨後に親族及び関係者が天体対象を見ながら故人を供養するまでの一連の冠婚葬祭行事をサポートすることができる。
【発明の効果】
【００３３】
以上説明した如く本発明では、地上の各地域からの宇宙空間に存在する天体対象の視認状況を予測することができ、かつ、当該天体対象を含む宇宙空間を利用した一連の冠婚葬祭行事をサポートすることができる。
【図面の簡単な説明】
【００３４】
【図１】本実施の形態に係る冠婚葬祭行事サポートシステムの概略図である。
【図２】本実施の形態に係る冠婚葬祭行事管理サーバーの制御ブロック図である。
【図３】本実施の形態に係る冠婚葬祭行事管理サーバーにおける処理を機能別に分類した機能ブロック図である。
【図４】本実施の形態に係る葬祭行事サポート処理の流れを示す制御フローチャートである。
【図５】本実施の形態に係る親族及び関係者が所有する通信端末にアプリ画面（お月見サポート画面）が表示された正面図である。
【図６】本実施の形態に係る親族及び関係者が所有する通信端末にアプリ画面（お月見サポート画面）が表示された正面図である。
【図７】（Ａ）は親族及び関係者が曇天の空を通信端末で撮像している状態を示す概略図、（Ｂ）は本実施の形態に係る親族及び関係者が所有する通信端末にアプリ画面（お月見サポート画面）が表示された正面図であり、図７（Ａ）において撮像されている画像に月のＶＲ画像が合成された状態を示す。
【発明を実施するための形態】
【００３５】
図１には、本実施の形態に係る冠婚葬祭行事サポートシステム１０が示されている。
【００３６】
冠婚葬祭行事サポートシステム１０は、ネットワーク１２を介して、冠婚葬祭行事管理サーバー１４、気象情報機関１６、天体観測情報機関１８、及び複数の通信端末２０との間で通信可能とされている。通信端末２０は、無線通信設備２２を介して、ネットワーク１２との間で無線通信される。
【００３７】
なお、本実施の形態では、通信端末２０として、スマートホンを例示しているが、ＰＣ（パーソナルコンピュータ）やタブレット端末、携帯電話等のその他の通信端末２０であってもよい。また、通信手段は、無線通信設備２２による無線に限らず、有線でネットワーク１２に接続されていてもよい。
【００３８】
図２に示される如く、本実施の形態における冠婚葬祭行事サポートシステム１０の主体となる冠婚葬祭行事管理サーバー１４は、マイクロコンピュータ２４を含んで構成されている。
【００３９】
マイクロコンピュータ２４は、ＣＰＵ２４Ａ、ＲＡＭ２４Ｂ、ＲＯＭ２４Ｃ、入出力ポート（Ｉ／Ｏ）２４Ｄ、及びこれらを接続するデータバスやコントロールバス等のバス２４Ｅを有している。Ｉ／Ｏ２４Ｄには、ハードディスク等の記憶媒体２６が接続されている。
【００４０】
ＲＡＭ２４Ａには、葬祭行事アプリケーションを実行するためのアプリプログラムが記憶されている。ＣＰＵ２４Ａでは、当該アプリプログラムに基づいて葬祭行事サポート処理が実行される。なお、アプリプログラムは、不揮発性の記憶媒体に記憶したり、又は、ネットワークを介してインストールすることで実現してもよい。なお、不揮発性の記憶媒体の例としては、記憶媒体２６に加え、ＣＤ-ＲＯＭ(Compact Disc Read Only Memory)、光磁気ディスク、ＤＶＤ-ＲＯＭ(Digital Versatile Disc Read Only Memory)、フラッシュメモリ、メモリカード等が挙げられる。
【００４１】
Ｉ／Ｏ２４Ｄには、Ｉ／Ｆ２８を介してネットワーク１２に接続されている。このため、ネットワーク１２に接続された気象情報機関１６との間、天体観測情報機関１８との間、並びに、通信端末２０との間のそれぞれと通信可能となっている。
【００４２】
気象情報機関１６は、気象予測シミュレータによって気象に関する現象を予測し、外部に提供する機関である。気象情報機関１６は、民間機関、行政機関等は問わない。また、各地に点在している太陽光発電装置で利用される日照予測システムを利用してもよい。太陽光発電装置では、日照時間を抽出するが、その反対として非日照時間（曇天、雨天等）を抽出することが可能である。
【００４３】
天体観測情報機関１８は、天体対象（本実施の形態では、月を天体対象とする。）の位置や軌道に関する情報を外部に提供する機関である。
【００４４】
（天体対象の定義）
【００４５】
なお、本明細書では、天体対象として、月を例にとり説明するが、天体対象としては、月に限定されるものではない。言い換えれば、月に言及した説明において、他の天体対象と置き換えても同様の効果を奏するのであれば、当該の他の天体対象に置き換えてもよい。
【００４６】
例えば、本発明における天体対象は、月以外の衛星（月は地球の衛星）、惑星（水星、金星、地球、火星、木星、土星等）、恒星（太陽、星等）を含む全ての天体、及び複数の星を組み合わせた星座等の自然界の天体の全てを含む。
【００４７】
また、星を一括りとせず、特定の星に名前を付けて、当該特定の星を識別して天体対象としてもよい。
【００４８】
さらに、自然界の天体ではないが、宇宙空間に存在する人工衛星及び宇宙ステーション等の人工造形物等も天体対象の範疇とする。また、日食、月食、流星等、一時的に発生する天体上の現象を、天体対象としてもよい。
【００４９】
冠婚葬祭行事管理サーバー１４では、気象情報機関１６及び天体観測情報機関１８から、気象に関する情報として、少なくとも、雲状態予測情報、月軌道予測情報、月可視状態判定情報、月方向特定情報を取得するようになっている。なお、取得した気象に関する情報及び天体観測に関する情報の使途の詳細は、後述する。
【００５０】
一方、通信端末２０は、予め葬祭行事アプリとしてのオペレーションプログラムがインストールされており、当該葬祭行事アプリを立ち上げることで、複数のコンテンツ（本実施の形態では、３種類のコンテンツ）に基づき、冠婚葬祭行事管理サーバー１４と通信可能状態となる。
【００５１】
通信端末２０で実行可能なコンテンツ名としては、少なくとも、「お月見サポートくん」（コンテンツ１）、「親族コミュニティ」（コンテンツ２）、及び「お月見ＶＲ」（コンテンツ３）が登録されている。なお、各コンテンツの詳細は、後述する。
【００５２】
図３は、本実施の形態に係る冠婚葬祭行事管理サーバー１４で実行される、葬祭行事アプリケーションの処理を機能別に分類した機能ブロック図である。なお、図３の各ブロックは、冠婚葬祭行事管理サーバー１４のハード構成を限定するものではない。すなわち、各ブロックの一部又は全部がソフトウェアプログラムによって実行される場合がある。
【００５３】
冠婚葬祭行事管理サーバー１４のＩ／Ｆ２８には、日照情報収集部３０、天体情報収集部３２、受付部３４、及び出力部３６が接続されている。
【００５４】
日照情報収集部３０では、気象情報機関１６との間でアクセスして、日照情報を収集する。日照情報とは、当日を含む将来の特定日における天気（例えば、晴天、曇天、雨天等）と、それぞれの日照時間、日の出、日の入り等を含む。日照情報は、気象情報機関１６で実行される気象予測シミュレータによって特定される。
【００５５】
日照情報収集部３０は、アプリプログラム実行制御部３８に接続されており、収集した日照情報を、当該アプリプログラム実行制御部３８へ送出する。
【００５６】
アプリプログラム実行制御部３８では、受け取った日照情報に基づき、雲状態を予測する。
【００５７】
天体情報収集部３２では、天体観測情報機関１８との間でアクセスして、天体情報を収集する。天体情報とは、当日を含む将来の特定日における天体対象、すなわち、月の軌道、月の見える方向等を含む。
【００５８】
天体情報収集部３２は、アプリプログラム実行制御部３８に接続されており、収集した天体情報を、当該アプリプログラム実行制御部３８へ送出する。
【００５９】
アプリプログラム実行制御部３８では、受け取った天体情報に基づき、月の軌道を予測し、月の方向を特定する。
【００６０】
ここで、アプリプログラム実行制御部３８では、雲の状態、月の軌道、及び月の方向のそれぞれの予測情報と、ＧＰＳ制御部４０で特定した位置情報（ここでは、地球上の全てを含む）とから、特定の位置における月の可視状態が判定可能となっている。
【００６１】
アプリプログラム実行制御部３８には、登録記念日情報記憶部４２が接続されており。この登録記念日情報記憶部４２には、前記通信端末２０を所持するグループ（親族及び関係者）における登録処理によって、記念日（ここでは、親族及び関係者に共通する故人の命日）が記憶されている。アプリプログラム実行制御部３８では、日々の管理において、登録記念日情報記憶部４２に記憶された記念日に該当するか否かを判断し、記念日であった場合に、親族及び関係者が所有する通信端末２０に対して、月を見ながら故人を偲ぶことを、出力部３６を介して通知する。
【００６２】
このとき、アプリプログラム実行制御部３８では、受付部３４を介して、それぞれの通信端末２０に搭載されたＧＰＳ機能に基づいて位置情報を取得し、それぞれの通信端末２０の位置から月が見えるか否かを判定する。
【００６３】
判定によって、例えば、曇天や雨天により、月が見えない位置の通信端末２０に対して、ＶＲ処理制御部４４で生成した仮想的な月画像を出力部３６を介して送信する。
【００６４】
「冠婚葬祭行事管理サーバー１４側からの視点による制御」
【００６５】
本実施の形態の冠婚葬祭行事管理サーバー１４は、以下の（１）から（５）の一連の処理形態を含む。
【００６６】
（１）  登録されている故人の命日等の記念日を管理し、通知時期になると、当該故人の親族又は関係者（遺族等）を特定する。
【００６７】
（２）  天体観測情報機関１８からの情報に基づき、親族又は関係者が点在している各地域の月の位置を予測する（第１の予測）。
【００６８】
（３）  気象情報機関１６からの情報に基づき、親族又は関係者が点在している各地域の雲の状態を予測する（第２の予測）。
【００６９】
（４）  各地域において、肉眼で月が見えるか否かを予測する（第３の予測）。
【００７０】
（５）  親族又は関係者が管理するスマホ等の通信端末２０のアプリ（何れかのコンテンツ）を遠隔で立ち上げて、対話形式で故人の記念日に関する情報を通知（提供）する。
【００７１】
すなわち、冠婚葬祭行事管理サーバー１４は故人の命日であること、月の位置、月の見え方等を通知する。また、月が見えない地域では、冠婚葬祭行事管理サーバー１４は、ＶＲ処理制御部４４の仮想現実（バーチャルリアリティ）技術により、月が見えない地域での撮像画像に仮想的な月画像を合成した合成画像を提供する。
【００７２】
「通信端末２０側からの視点」
【００７３】
一方、通信端末２０を主体とした場合、当該通信端末２０に設定されたコンテンツ１からコンテンツ３に対して、冠婚葬祭行事管理サーバー１４のアプリプログラム実行制御部３８との間で、ＡＩ処理部４６の人工知能を用いて、対話形式により処理が実行される。
【００７４】
（コンテンツ１「お月見サポートくん」）
【００７５】
コンテンツ１は、アプリプログラム実行制御部３８で認識した記念日に関する通知において、冠婚葬祭行事管理サーバー１４との間で、天気、位置に基づく月の見え方に関する情報のやりとりを行い、記念日に月見ができるようにサポートを受ける機能である。
【００７６】
（コンテンツ２「親族コミュニティ」）
【００７７】
コンテンツ２は、基本的は、アプリプログラム実行制御部３８からの記念日に関する情報の通知後に、通信端末２０同士（すなわち、親族及び関係者同士）でチャット形式の対話を行う機能である。ここで、通信端末２０毎に、それぞれのＧＰＳ機能による位置情報に基づき、アプリプログラム実行制御部３８から、月が見えるか否かの情報の通知を受ける。
【００７８】
また、通信端末２０同士の対話情報を冠婚葬祭行事管理サーバー１４に情報提供することで、冠婚葬祭行事管理サーバー１４での月が見える位置の予測を修正することが可能である。
【００７９】
（コンテンツ３「お月見ＶＲ」）
【００８０】
コンテンツ３は、曇天時又は雨天時のように、月が見えない位置にある場合、仮想的な月の提供を受ける機能である。
【００８１】
所定の記念日に、複数の親族及び関係者が同時に月を見て故人を偲ぶとき、それぞれの親族及び関係者が各地に散らばっていると、月が見えない地域が存在する。
【００８２】
コンテンツ３では、アプリプログラム実行制御部３８から、現在位置を基点として月が見える方向の通知を受けると、カメラ機能により月が見えると予測される方向の画像を撮像して、アプリプログラム実行制御部３８へ送信すると、ＶＲ処理制御部４４の制御により撮像画像と仮想的な月画像の合成画像を受け取ることができる。
【００８３】
以下に、本実施の形態の作用を、図４のフローチャートに従い、冠婚葬祭行事管理サーバー１４側の視点で説明する。
【００８４】
ステップ１００では、登録記念日情報記憶部４２に記憶されている記念日の状況を把握し、次いで、ステップ１０２へ移行して、特定の記念日の通知時期か否かを判断する。
【００８５】
ステップ１０２で否定判定された場合は、通知する時期ではないと判断し、このルーチンは終了する。
【００８６】
また、ステップ１０２で肯定判定された場合は、通知する記念日が存在すると判断し、ステップ１０４へ移行して通知対象の通信端末２０を特定し、ステップ１０６へ移行する。
【００８７】
ステップ１０６では、天体観測情報機関１８からの情報に基づき、各地域の記念日の次の位置を予測する（第１の予測）。
【００８８】
次のステップ１０８では、気象情報機関１６からの情報に基づき、各地域の記念日の雲の状態を予測する（第２の予測）。
【００８９】
次のステップ１１０では、各地域において、記念日に肉眼で月が見えるかを予測する（第３の予測）
【００９０】
次のステップ１１２では、該当する通信端末２０に対して、遠隔で、葬祭行事アプリのオペレーションプログラムの起動を指示して、ステップ１１４へ移行する。
【００９１】
ステップ１１４では、ステップ１０６、１０８、及び１１０の予測制御に基づく通知情報を提供する。
【００９２】
例えば、ステップ１１４では、複数の通信端末２０で、月が見える地域、時間帯を含む月見情報を共有する、地域毎の月の見え方を共有し合う、並びに、仮想の月が見える画像情報を提供する、といった情報交換をＡＩ機能に基づき、対話形式で実行する。
【００９３】
次のステップ１１６では、葬祭行事サービスを終了するか否かを判断し、否定判定された場合は、ステップ１１４へ戻り、ＡＩ機能に基づく、対話を継続する。また、ステップ１１６で肯定判定された場合は、ステップ１１８へ移行して、通信終了処理を実行し、このルーチンは終了する。
【００９４】
（通信端末２０による各コンテンツ実行例）
【００９５】
冠婚葬祭行事管理サーバー１４が遠隔で、通信端末２０の所有者が手動で、通信端末２０の葬祭行事サポートアプリを立ち上げる。図５、図６、および図７（Ｂ）に示される如く、葬祭行事サポートアプリを立ち上げると、通信端末２０の表示画面２０Ｍの下方には、コンテンツ１、コンテンツ２、およびコンテンツ３を指定するアイコン画像領域５０、５２、５４が表示される。
【００９６】
（コンテンツ１）
【００９７】
図５は、コンテンツ１（お月見サポートくん）における通信端末２０での表示例である。
【００９８】
本実施の形態では、天体対象の例として「月」を挙げているため、コンテンツ１では、一般的にお月見を行う時期（葬祭行事であれば、お盆の時期）を、一つの記念日として、冠婚葬祭行事管理サーバー１４の登録記念日情報記憶部４２（図３参照）に記憶しておく。
【００９９】
お盆の時期（例えば、８月１３〜８月１５日）よりも所定の日数前（ここでは、８月６日）に、冠婚葬祭行事管理サーバー１４が遠隔で、通信端末２０の葬祭行事サポートアプリのコンテンツ１を立ち上げる。これにより、通信端末２０の表示画面２０Ｍのアイコン画像領域５０が強調表示され、コンテンツ１（「お月見サポートくん」）が起動される。
【０１００】
このコンテンツ１（「お月見サポートくん」）では、冠婚葬祭行事管理サーバー１４が主体(お月見サポートくん)となって、表示画面２０Ｍ上で、提供先（Ａ子）との間でチャットが進行する。
【０１０１】
「チャット進行例」
【０１０２】
（１）  お月見サポートくん『もうすぐ初盆ですね。熊本市では、８／１３−８／１５」の間、月が見える確率は、９０％です。』
【０１０３】
（２）  Ａ子『お盆は東京におるけど見える？』
【０１０４】
（３）  お月見サポートくん『東京での月が見える確率は、８／１５は４０％、１６，１７日は８０％です。』
【０１０５】
このように、冠婚葬祭行事管理サーバー１４が、一般的な記念日を管理して、当日よりも前に、その詳細情報を提供先へ案内する。お盆の場合、各地に点在している親戚がお盆に帰省しなくても、共通の天体対象（月）をよりどころに、所謂心を一つにして、先祖を供養することができる。
【０１０６】
なお、本実施の形態では、コンテンツ１を「お月見サポートくん」として月を例に挙げたが、コンテンツ１の詳細設定等によって、例えば、「天体ショーサポートくん」として、葬祭行事に限らず、他の天体対象をよりどころとした情報を提供するようにしてもよい。「天体ショーサポートくん」の一例としては、日食等の情報を、各地に点在している日食鑑賞メンバーに案内する。この場合に、各地での天候に基づく日食の見え方、日食鑑賞メンバーの当日の所在地での日食の見え方等を案内することができる。
【０１０７】
（通信端末２０による各コンテンツ実行例２）
【０１０８】
図６は、コンテンツ２（親族コミュニティ）における通信端末２０での表示例である。
【０１０９】
本実施の形態では、葬祭行事としているため、コンテンツ２では、予め登録された、特定の親族及び関係者特有の記念日（例えば、親族及び関係者とゆかりのある故人の命日）を、冠婚葬祭行事管理サーバー１４の登録記念日情報記憶部４２（図３参照）に記憶しておく。
【０１１０】
当該記念日（命日）の当日又は所定の日数前に、冠婚葬祭行事管理サーバー１４が遠隔で、通信端末２０の葬祭行事サポートアプリのコンテンツ２を立ち上げる。これにより、通信端末２０の表示画面２０Ｍのアイコン画像領域５２が強調表示され、コンテンツ２（「親族コミュニティ」）が起動される。
【０１１１】
このコンテンツ２（「親族コミュニティ」）では、冠婚葬祭行事管理サーバー１４（コンテンツ１と同様に、「お月見サポートくん」とする）からの呼びかけ)で、親族及び関係者が、それぞれの地域で月をよりどころとして、チャットが進行する。
【０１１２】
「チャット進行例」
【０１１３】
（１）  お月見サポートくん『○○家の皆様、本日はＢさんの命日ですね。皆様の現在エリアからは、息子Ｃさん以外は、月がよく見えると思いますよ。』
【０１１４】
（２）  孫Ｄ『東京からはよく見えるよ。南無・・・』
【０１１５】
（３）  孫Ｅ『海外出張中やけど見とるよ〜  きれいな満月や〜』
【０１１６】
（４）  孫Ｆ『北海道では雲で見えん・・・ＶＲのお月様を拝みます（笑）』
【０１１７】
（５）  Ａ子『みんな忙しいのにありがとね。じいちゃんも喜んどるたい。』
【０１１８】
このように、冠婚葬祭行事管理サーバー１４が、特定の親族及び関係者の特定の記念日を管理して、当日又はそれよりも前に、その詳細情報を提供先へ案内する。命日の場合、各地に点在している親戚が法事等で帰省しなくても、共通の天体対象（月）をよりどころに、所謂心を一つにして、故人を供養することができる。
【０１１９】
なお、本実施の形態では、コンテンツ２を「親族コミュニティ」として月を例に挙げたが、コンテンツ２の詳細設定等によって、例えば、「お祝いコミュニティ」として、葬祭行事に限らず、他の天体対象をよりどころとした情報を提供するようにしてもよい。「お祝いコミュニティ」の一例としては、誕生日の当日に、出張等で一緒に過ごせない関係者に対して、天体対象をよりどころとした祝杯を案内する。例えば、誕生日に基づく当事者の星座（やぎ座、てんびん座等）の位置や見え方等を案内することができる。
【０１２０】
（通信端末２０による各コンテンツ実行例３）
【０１２１】
図７は、コンテンツ３（お月見ＶＲ）における通信端末２０での表示例である。
【０１２２】
本実施の形態では、葬祭行事としているため、コンテンツ１又はコンテンツ２では、天体対象(月)をよりどころとして一斉に先祖又は故人を供養することを案内しているが、親族及び関係者の所在地の天候によっては、天体対象（月）が見えない場合がある。
【０１２３】
そこで、通信端末２０を所持している親族又は関係者が手動で、通信端末２０の葬祭行事サポートアプリのコンテンツ３（お月見ＶＲ）を立ち上げる。これにより、通信端末２０の表示画面２０Ｍのアイコン画像領域５０が強調表示され、コンテンツ１が起動される。なお、天体対象（月）が見えないことが確実であれば、冠婚葬祭行事管理サーバー１４が遠隔でコンテンツ３を立ち上げてもよい。
【０１２４】
コンテンツ３（「お月見ＶＲ」）では、冠婚葬祭行事管理サーバー１４のＧＰＳ制御部４０及びＶＲ処理制御部４４の制御によって、通信端末２０の現在位置での月の方向や見え方を解析し、仮想現実の月画像を提供する。
【０１２５】
仮想現実の月画像の提供手順例
【０１２６】
（１）  図７（Ａ）に示される如く、通信端末２０を所持する者が、冠婚葬祭行事管理サーバー１４からの指示で、曇り空で月が見えない特定の空を撮像する。
【０１２７】
（２）  撮像した画像が冠婚葬祭行事管理サーバー１４へ送られ、ＶＲ処理制御部４４において、当該画像に仮想現実の月画像を合成し、通信端末２０へ返信する。
【０１２８】
（３）  図７（Ｂ）に示される如く、通信端末２０では、表示画面２０Ｍに表示されている画像（曇り空で月が見えない特定の空の画像）に、仮想現実の月画像が合成されて表示される。
【０１２９】
（４）  冠婚葬祭行事管理サーバー１４から、通信端末２０の表示画面２０Ｍの上方にメッセージが表示される。メッセージ内容は、例えば、『生憎の曇りですが、月はこちらにございます。』
【０１３０】
これにより、親族及び関係者において、同時期に月をよりどころに、先祖や故人を供養する場合に、各地に点在している親族及び関係者が所持する通信端末２０の所在地が、曇天や雨天で、肉眼で月が見えなくても、他の親族及び関係者と同等に月を見ながら先祖や故人を供養することができる。
【０１３１】
なお、本実施の形態では、コンテンツ３を「お月見ＶＲ」として月を例に挙げたが、コンテンツ３の詳細設定等によって、例えば、「天体対象ＶＲ」として、葬祭行事に限らず、他の天体対象の仮想現実画像を提供するようにしてもよい。「天体対象ＶＲ」の一例としては、流星群が発生するときに、曇天や雨天で、肉眼で見えない場合に、冠婚葬祭行事管理サーバー１４で予測した、現地での流星群の見え方で仮想現実の流星群画像の位置や見え方等を案内する。
【０１３２】
本実施の形態では、冠婚葬祭行事の中の、葬祭行事、特に故人の命日に親族及び関係者が同時に月を見ながら故人を供養する状況を例にとり、冠婚葬祭サポートシステムを説明したが、本発明は、葬祭行事に限らず、実家に住む両親の誕生日を別居している子孫が同時に天体対象を「よりどころ」としてお祝いする等、他の冠婚葬祭行事に天体対象を利用するようにしてもよい。誕生日祝いに利用する天体対象としては、例えば、誕生日により決まる星座（例えば、「やぎ座」、「おとめ座」、及び「てんびん座」等）が好ましい。
【０１３３】
冠婚葬祭行事管理サーバー１４では、天体観測情報機関１８からの情報に基づき、北極星を中心とした軌道に基づく星座が、肉眼で見える季節か否かを判断し、見えない場合は、ＶＲ処理制御部４４により、季節を調整した、「やぎ座」が見える仮想的な星座画像を提供すればよい。
【符号の説明】
【０１３４】
１０    冠婚葬祭サポートシステム
１２    ネットワーク
１４    冠婚葬祭行事管理サーバー（管理サーバー）
１６    気象情報機関（第２の予測手段）
１８    天体観測情報機関（第１の予測手段）
２０    通信端末
２０Ｍ    表示画面（実行手段）
２２    無線通信設備
２４    マイクロコンピュータ
２４Ａ    ＣＰＵ
２４Ｂ    ＲＡＭ
２４Ｃ    ＲＯＭ
２４Ｄ    入出力ポート（Ｉ／Ｏ）
２４Ｅ    バス
２６    記憶媒体
２８    Ｉ／Ｆ
３０    日照情報収集部
３２    天体情報収集部（第１の予測手段、第２の予測手段）
３４    受付部
３６    出力部（送信手段）
３８    アプリプログラム実行制御部（第１の予測手段、第２の予測手段、第３の予測手段、決定手段）
４０    ＧＰＳ制御部（第３の予測手段）
４２    登録記念日情報記憶部（記憶手段）
４４    ＶＲ処理制御部
４６    ＡＩ処理部（送信手段）
【図１】
2019114092.tif 000003
【図２】
2019114092.tif 000004
【図３】
2019114092.tif 000005
【図４】
2019114092.tif 000006
【図５】
2019114092.tif 000007
【図６】
2019114092.tif 000008
【図７】
2019114092.tif 000009